(57)【要約】【課題】戸枠外周部のモルタルの破壊作業後において、モルタル部より戸枠を効率的且つ綺麗に引き剥がして撤去するための、戸枠撤去用スプレッダーを得る。【解決手段】戸枠とモルタル部の間に挿入して当該戸枠とモルタル部との間隙を広げるための爪と、該爪を一次拡張機構と二次拡張機構により広げるための爪拡張手段と、該爪拡張手段に駆動力を与えるための油圧シリンダーとを本体金具に係着して配設し、外部油圧ポンプによる油圧シリンダーのロッドの伸長により戸枠とモルタル部との間隙を広げて戸枠をモルタル部より引き剥がすことができる装置とする。上記一次拡張機構として、爪を回動軸を中心に扇状に広げることができる構造とする。また、上記二次拡張機構として、爪を本体金具のスライド溝に爪保持金具のスライド軸をスライドさせて平行に広げることができる構造とする。【選択図】　　　　図１
2004044355.tif 000002
【特許請求の範囲】
【請求項１】
戸枠（３４）とモルタル部（３８）の間に挿入して当該戸枠（３４）とモルタル部（３８）との間隙を広げるための爪（２）と、該爪（２）を一次拡張機構と二次拡張機構により広げるための爪拡張手段と、該爪拡張手段に駆動力を与えるための油圧シリンダー（１６）とを本体金具（７）に係着して配設し、外部油圧ポンプ（３５）による油圧シリンダー（１６）のロッド（１９）の伸長により戸枠（３４）とモルタル部（３８）との間隙を広げて戸枠（３４）をモルタル部（３８）より引き剥がすことができることを特徴とした、戸枠撤去用スプレッダー。
【請求項２】
上記爪拡張手段における一次拡張機構として、略三角形状の爪拡張金具（１１）の先端部に形成された一次拡張部（２３）が爪（２）の一次拡張当接部（３）を押圧することにより、爪（２）を回動軸（４）を中心に扇状に広げることができることを特徴とした、請求項１に記載の戸枠撤去用スプレッダー。
【請求項３】
上記爪拡張手段における二次拡張機構として、略三角形状の爪拡張金具（１１）の傾斜部における二次拡張部（２４）が爪保持金具（５）の二次拡張当接部（６）を押圧することにより、爪（２）を本体金具（７）の溝（２１）にて爪保持金具（５）のスライド軸（２２）をスライドさせて平行に広げることができることを特徴とした、請求項１に記載の戸枠撤去用スプレッダー。
【発明の詳細な説明】
【０００１】
【発明の属する技術分野】
本発明は、鉄筋コンクリート住宅における玄関ドアの外周部にあるスチール製戸枠の撤去作業に関し、特に戸枠外周部のモルタルの破壊作業後において、モルタル部より戸枠を引き剥がして撤去するための、戸枠撤去用スプレッダーに関するものである。
【０００２】
【従来の技術】
従来、分譲マンションや賃貸マンション等の鉄筋コンクリート住宅において、玄関ドアをリフォームするための戸枠撤去の作業手段として、ブレーカーを用いて戸枠周辺のモルタルを破壊する方法いわゆるハツリ工法が一般的に行われていた。また、本願出願人による特願２００２−１１６８４７号公報に示されているような専用の戸枠撤去装置によっても行われている。
【０００３】
上記手段は戸枠周辺のモルタルを破壊するのが主な目的であるため、該戸枠周辺のモルタルが強固な場合には十分にモルタルを破壊することができず、更に戸枠に固着されたアンカーによりモルタル部より戸枠を引き剥がして撤去することは容易ではなかった。このため、レスキュー等に使用されるマルチカッター用スプレッダーを戸枠とモルタル部の間に挿入し、該スプレッダーの爪を広げることによりモルタル部より戸枠を引き剥がして撤去を行っている。
【０００４】
【発明が解決しようとする課題】
しかしながら、上記マルチカッター用スプレッダーの爪の開口幅は一般的に１００ｍｍ程度が最大でありしかも扇状に広がるため、６５ｍｍ又は８６ｍｍ幅の戸枠をモルタル部より引き剥がすために広げた場合、該爪の先端が戸枠より滑って外れることにより作業性の低下を招くといった問題点があった。また、爪が扇状に広がることにより、該爪の先端が縁切りしたモルタル部の角に当って傷をつけてしまうといった問題点もあった。
【０００５】
本発明は、以上のような問題点に鑑み成されたものであり、戸枠外周部のモルタルの破壊作業後において、モルタル部より戸枠を効率的且つ綺麗に引き剥がして撤去するための、戸枠撤去用スプレッダーを提供することを目的とする。
【０００６】
【課題を解決するための手段】
上記課題を解決するため、本発明の戸枠撤去用スプレッダーは、戸枠とモルタル部の間に挿入して当該戸枠とモルタル部との間隙を広げるための爪と、該爪を一次拡張機構と二次拡張機構により広げるための爪拡張手段と、該爪拡張手段に駆動力を与えるための油圧シリンダーとを本体金具に係着して配設し、外部油圧ポンプによる油圧シリンダーのロッドの伸長により戸枠とモルタル部との間隙を広げて戸枠をモルタル部より引き剥がすことができる装置とする。
【０００７】
上記爪拡張手段における一次拡張機構として、略三角形状の爪拡張金具の先端部に形成された一次拡張部が爪の一次拡張当接部を押圧することにより、爪を回動軸を中心に扇状に広げることができる構造とする。
【０００８】
上記爪拡張手段における二次拡張機構として、略三角形状の爪拡張金具の傾斜部における二次拡張部が爪保持金具の二次拡張当接部を押圧することにより、爪を本体金具の溝にて爪保持金具のスライド軸をスライドさせて平行に広げることができる構造とする。
【０００９】
【発明の実施の形態】
本発明の実施の形態を図を用いて説明する。図１は本発明の戸枠撤去用スプレッダーの外形図である。また、図２は本発明の戸枠撤去用スプレッダーを構成する爪及び爪保持金具の外形図、図３は本発明の戸枠撤去用スプレッダーを構成する本体金具の外形図、図４は本発明の戸枠撤去用スプレッダーを構成する爪拡張金具の外形図である。
【００１０】
図１に示すように、本発明の戸枠撤去用スプレッダー１は、戸枠とモルタル部の間に挿入して当該戸枠とモルタル部との間隙を広げるための爪２と、該爪２を一次拡張機構と二次拡張機構により広げるための爪拡張手段と、該爪拡張手段に駆動力を与えるための油圧シリンダー１６とを本体金具７に係着して配設し、外部油圧ポンプによる油圧シリンダー１６のロッド１９の伸長により戸枠とモルタル部との間隙を広げて戸枠をモルタル部より引き剥がす構造の装置とする。
【００１１】
図２に示すように、爪２は先端部が鋭角状の略二等辺三角形状を成し、底部外端部が爪保持金具５の外端上部において回動軸４にて軸着され、該回動軸４を中心に扇状に広がることができる。これを、一次拡張と称する。また、爪２の底部内端部には図４に示す爪拡張金具１１の先端部の内側に形成された一次拡張部２３の押圧により一次拡張作用を生じさせる一次拡張当接部３を形成する。また、爪２の先端部外側には、拡張対象物すなわちモルタル部や戸枠からの滑りを防ぐための滑り止用溝を多数形成する。爪保持金具５はスライド軸２２の外端上部において爪２の底部外端部を回動軸４にて軸着し、図３に示す本体金具７の溝２１にて爪保持金具５のスライド軸２２をスライドさせて平行に広げることができる。これを、二次拡張と称する。また、爪保持金具５の外端内側には図４に示す爪拡張金具１１の傾斜部における二次拡張部２４の押圧により二次拡張作用を生じさせる二次拡張当接部６を形成する。なお、図１に示す爪２の先端部側面には間隙があるため、該部位の強度を補強するための補強金具２８を装着する。
【００１２】
また図３に示すように、本体金具７は爪保持金具５のスライド軸２２をスライドさせるための溝２１を形成し、更に爪拡張金具１１の一次拡張ガイド２５及び二次拡張ガイド２６と連通してピン３１を配設するための溝２９と、爪拡張金具１１の主ガイド２７と連通してピン３２を配設するための孔３０を穿設する。
【００１３】
次に、図５は本発明の戸枠撤去用スプレッダーにおける一次拡張機構を説明するための本体内部機構図、図６は本発明の戸枠撤去用スプレッダーにおける二次拡張機構を説明するための本体内部機構図であり、爪２を回動軸４にて軸着した爪保持金具５のスライド軸２２を、本体金具７の溝２１に装着した状態での拡張動作を説明する。
【００１４】
まず図５に示すように、一次拡張機構として、爪拡張金具１１の先端部に形成された一次拡張部２３が爪２の一次拡張当接部３を図中矢印ａ方向に押圧することにより、爪２を回動軸４を中心に図中矢印ｂ方向に扇状に広げることができる。この時、爪保持金具５のスライド軸２２は本体金具７の溝２１に装着されたままである。
【００１５】
次に図６に示すように、二次拡張機構として、爪拡張金具１１の傾斜部における二次拡張部２４が爪保持金具５の二次拡張当接部６を図中矢印ｃ方向に押圧することにより、爪２を本体金具７の溝２１にて爪保持金具５のスライド軸２２をスライドさせて図中矢印ｄ方向に平行に広げることができる。この時、爪２の一次拡張当接部３は爪拡張金具１１の二次拡張部２４に当接した状態となるため、一次拡張完了時の状態を保持したまま二次拡張を行うことができる。
【００１６】
なお、図５及び図６は図１における戸枠撤去用スプレッダー１の左側の爪２及び爪保持金具５を本体金具７に装着した状態を示しているが、実際には該左側の機構を左右対称及び前後対称に構成して右側に配設し、更に爪拡張金具１１を挟設することにより、図１に示す外形構造となる。また、本体金具７の上部と爪２の一次拡張当接部３の後部との間にバネ１０を配設する。該バネ１０は、戸枠撤去用スプレッダー１の未使用時において爪２が不用意に広がるのを防止するためである。また、片面の本体金具７の略中央部には、戸枠撤去用スプレッダー１を把持しやすくするためのグリップ（図示せず）を固定するためのグリップ固定孔８を穿孔し、ピン３２に軸着する。また、該本体金具７の中央上部において、ボルト９にて本体金具７を両面より固定する。
【００１７】
また図１に示すように、爪拡張金具１１の後端部にロッド連結金具１２を固着し、爪保持金具５の後端部に固定金具１３を固定軸１５にて固定し、更に該固定金具１３の後端部にシリンダー固定金具１４を固定軸１５にて固定する。そして、該シリンダー固定金具１４に固定された油圧シリンダー１６のロッド１９を前記ロッド連結金具１２と連結する。また、固定金具１３の補強のため、左右の固定金具１３を別の固定金具２０にて固定する。
【００１８】
【実施例】
本発明の実施例を図を用いて説明する。図７は本発明の戸枠撤去用スプレッダーによりモルタル部より戸枠を引き剥がすための設置系統図である。
【００１９】
まず、戸枠撤去用スプレッダー１の油圧シリンダー１６の伸長側カプラー１７及び収縮側カプラー１８に油圧ポンプ３５からの伸長用ホース３６及び収縮用ホース３７をそれぞれ接続する。そして、戸枠撤去用スプレッダー１の本体に配設したスイッチ（図示せず）を操作することにより油圧シリンダー１６のロッド１９を伸長と収縮の２通りの動作を行わせることができる。
【００２０】
次に、戸枠撤去用スプレッダー１の先端部の爪２をドア３３の外周部にある戸枠３４とモルタル部３８の間に挿入したのち油圧ポンプ３５を作動させて油圧シリンダー１６を加圧する。そして、該油圧シリンダー１６のロッド１９を伸長させて爪２を広げることにより、戸枠３４とモルタル部３８との間隙を広げて戸枠３４をモルタル部３８より引き剥がすことができる。
【００２１】
この時の戸枠撤去用スプレッダー１の爪２の拡張状態を段階を追って説明する。なお、一部説明において図５及び図６を参照されたい。
【００２２】
図８は本発明の戸枠撤去用スプレッダーの拡張機構を説明するための内部構造図であり、一次拡張開始時の状態図である。該図においては、シリンダー１６に対し油圧ポンプ３５からの加圧はまだ行われていなく、いわゆる初期状態である。この時、爪拡張金具１１の一次拡張部２３は爪２の一次拡張当接部３を押圧していなく、爪２の内面側は互いに接触した状態である。該図は一次拡張の初期段階であり、本体金具７の溝２９に装着したピン３１は爪拡張金具１１の一次拡張ガイド２５の端部にある状態を示している。また、本体金具７の孔３０と連通したピン３２は爪拡張金具１１の主ガイド２７の端部にある状態を示している。
【００２３】
図９は本発明の戸枠撤去用スプレッダーの拡張機構を説明するための内部構造図であり、一次拡張時の状態図である。該図においては、シリンダー１６の伸長側カプラー１７に接続された伸長用ホース３６により油圧ポンプ３５からの加圧が行われ、シリンダー１９が伸長する。この時、爪拡張金具１１の一次拡張部２３は爪２の一次拡張当接部３を押圧するため、爪２は爪保持金具５の外端上部にて軸着された回動軸４を中心に扇状に広がる。該図は一次拡張の途中段階であり、本体金具７の溝２９に装着したピン３１は爪拡張金具１１の一次拡張ガイド２５の端部より移動した状態を示している。
【００２４】
図１０は本発明の戸枠撤去用スプレッダーの拡張機構を説明するための内部構造図であり、二次拡張開始時の状態図である。該図においても、シリンダー１６の伸長側カプラー１７に接続された伸長用ホース３６により油圧ポンプ３５からの加圧が行われ、図９の状態より更にシリンダー１９が伸長する。この時、爪拡張金具１１の二次拡張部２３は爪保持金具５の二次拡張当接部６を押圧するため、爪２は本体金具７の溝２１にて爪保持金具５のスライド軸２２がスライドして平行に広がる。該図は二次拡張の初期段階であり、本体金具７の溝２９に装着したピン３１は爪拡張金具１１の二次拡張ガイド２６の端部にある状態を示している。
【００２５】
図１１は本発明の戸枠撤去用スプレッダーの拡張機構を説明するための内部構造図であり、二次拡張完了時の状態図である。該図においても、シリンダー１６の伸長側カプラー１７に接続された伸長用ホース３６により油圧ポンプ３５からの加圧が行われ、図１０の状態より更にシリンダー１９が伸長する。この時、爪拡張金具１１の二次拡張部２３は爪保持金具５の二次拡張当接部６を更に押圧するため、爪２は本体金具７の溝２１にて爪保持金具５のスライド軸２２がスライドして更に平行に広がる。該図は二次拡張の終了段階であり、本体金具７の溝２９に装着したピン３１は爪拡張金具１１の二次拡張ガイド２６の他端部にある状態を示している。また、本体金具７の孔３０と連通したピン３２は爪拡張金具１１の主ガイド２７の他端部にある状態を示している。
【００２６】
以上のようにして、作業部位における戸枠３４をモルタル部３８より引き剥がすことが完了すれば、油圧ポンプ３５を逆作動させて油圧シリンダー１６のロッド１９を収縮させて爪２を狭め、別の部位にて再度拡張を行う。この動作を戸枠３４の全周に沿って行うことにより戸枠３４をモルタル部３８より引き剥がすことが可能になる。本作業において、二次拡張時における爪２の拡張は平行拡張となるため、爪２の先端が戸枠３４より滑って外れることもなく、縁切りしたモルタル部３８の角に傷をつけることもない。なお、本発明の戸枠撤去用スプレッダー１は、戸枠撤去用に限定せずレスキュー・その他解体分離作業等に使用するスプレッダーとして用いても効率的且つ安全に使用することができるものである。
【００２７】
【発明の効果】
以上述べたように、本発明の戸枠撤去用スプレッダーを用いて分譲マンションや賃貸マンション等の鉄筋コンクリート住宅における玄関ドアの外周部にあるスチール製戸枠の撤去作業を行うようにすれば、戸枠外周部のモルタルの破壊作業後において、該戸枠撤去用スプレッダーの二次拡張時における爪の拡張は平行拡張となるため、爪の先端が戸枠より滑って外れることもなく、縁切りしたモルタル部の角に傷をつけることもなく、戸枠を効率的且つ綺麗に引き剥がして撤去することができるという絶大なる効果を奏する。また、戸枠撤去用に限定せずレスキュー・その他解体分離作業等に使用するスプレッダーとして用いても効率的且つ安全に使用することができるという効果を奏する。
【図面の簡単な説明】
【図１】本発明の戸枠撤去用スプレッダーの外形図である。
【図２】本発明の戸枠撤去用スプレッダーを構成する爪及び爪保持金具の外形図である。
【図３】本発明の戸枠撤去用スプレッダーを構成する本体金具の外形図である。
【図４】本発明の戸枠撤去用スプレッダーを構成する爪拡張金具の外形図である。
【図５】本発明の戸枠撤去用スプレッダーにおける一次拡張機構を説明するための本体内部機構図である。
【図６】本発明の戸枠撤去用スプレッダーにおける二次拡張機構を説明するための本体内部機構図である。
【図７】本発明の戸枠撤去用スプレッダーによりモルタル部より戸枠を引き剥がすための設置系統図である。
【図８】本発明の戸枠撤去用スプレッダーの拡張機構を説明するための内部構造図であり、一次拡張開始時の状態図である。
【図９】本発明の戸枠撤去用スプレッダーの拡張機構を説明するための内部構造図であり、一次拡張時の状態図である。
【図１０】本発明の戸枠撤去用スプレッダーの拡張機構を説明するための内部構造図であり、二次拡張開始時の状態図である。
【図１１】本発明の戸枠撤去用スプレッダーの拡張機構を説明するための内部構造図であり、二次拡張完了時の状態図である。
【符号の説明】
１　戸枠撤去用スプレッダー
２　爪
３　一次拡張当接部
４　回動軸
５　爪保持金具
６　二次拡張当接部
７　本体金具
８　グリップ固定孔
９　ボルト
１０　バネ
１１　爪拡張金具
１２　ロッド連結金具
１３　固定金具
１４　シリンダー固定金具
１５　固定軸
１６　油圧シリンダー
１７　伸長側カプラー
１８　収縮側カプラー
１９　ロッド
２０　固定金具
２１　溝
２２　スライド軸
２３　一次拡張部
２４　二次拡張部
２５　一次拡張ガイド
２６　二次拡張ガイド
２７　主ガイド
２８　補強金具
２９　溝
３０　孔
３１　ピン
３２　ピン
３３　ドア
３４　戸枠
３５　油圧ポンプ
３６　伸長用ホース
３７　収縮用ホース
３８　モルタル部
【図１】
2004044355.tif 000003
【図２】
2004044355.tif 000004
【図３】
2004044355.tif 000005
【図４】
2004044355.tif 000006
【図５】
2004044355.tif 000007
【図６】
2004044355.tif 000008
【図７】
2004044355.tif 000009
【図８】
2004044355.tif 000010
【図９】
2004044355.tif 000011
【図１０】
2004044355.tif 000012
【図１１】
2004044355.tif 000013